(57)【要約】  外部の物体との衝撃から足を保護する履物であり、その履物は、衝撃を受けた場合に、足あるいは外部ボディーからの圧力による変形に適する保護部品（２０）を備える。保護部品は、永続的かつ不可逆的な構造上の変化に反応する方式で作成されており、そのため、衝撃を受けている間に受けたエネルギーを吸収すると同時に分散する。
2010537704.tif 000002
【特許請求の範囲】
【請求項１】
衝撃の間に足及び／又は外部の物体からの圧力によりそれ自体を変形させるのに適合する保護部品（２０，１２０，２２０）を備え、外側本体との衝撃に抗して足を保護する履物（１０，２１０）であって、
保護部品（２０，１２０，２２０）は、永続的かつ不可逆的な構造的変化に基づいて作用するように配置され、その結果、衝撃の間に受けたエネルギーを吸収すると同時に消散させることを特徴とする履物。
【請求項２】
前記保護部品（２２０）は、前記圧力により撓み、かつ永続的に変形するのに適合する中空構造を備えることを特徴とする請求項１に記載の履物（１０）。
【請求項３】
前記中空構造は、２つ以上の空隙容積（８４ａ，８４ｂ，８４ｃ）を画成する撓む壁（８６ａ，８６ｂ）を有することを特徴とする請求項２に記載の履物（１０）。
【請求項４】
前記撓む壁（８６ａ，８６ｂ）は、互いに並行であって、起り得る衝撃力に対して基本的に直交する面上に置かれていることを特徴とする請求項２または３に記載の履物（１０）。
【請求項５】
前記保護部品（２０，１２０，２２０）は、圧力の下で永続的に屈曲し得る素材を市よして作られていることを特徴とする請求項１ないし４のいずれかに記載の履物（１０，２０）。
【請求項６】
前記保護部品（２０，１２０，２２０）は、側方からの圧力によって不可逆的に破損することを可能とする脆弱な素材で形成されていることを特徴とする請求項１ないし５のいずれかに記載の履物（１０，２１０）。
【請求項７】
前記保護部材は、履物に取り外し可能に結合可能なインサート（２０，１２０，２２０）からなることを特徴とする請求項１ないし６のいずれかに記載の履物（１０，２１０）。
【請求項８】
前記インサート（２０，１２０，２２０）を前記履物内の見えない位置に保持するシート（３３，２３３）を備えることを特徴とする請求項７に記載の履物（１０，２１０）。
【請求項９】
前記シート（３３，２３３）の少なくとも一つの壁は、前記圧力により座屈するような方式で作られていることを特徴とする請求項８に記載の履物。
【請求項１０】
前記シートの前記少なくとも一つの壁は、圧力によって屈曲するように調整された薄いストリップ（５０，２５０）を備えることを特徴とする請求項９に記載の履物（１０，２１０）。
【請求項１１】
前記薄いストリップの自由な屈曲を維持しつつ、前記薄いストリップ（５０）と前記圧力による破壊に適した少なくとも一つの壁との間に、調整された破壊剛性を有する結合点を備えることを特徴とする請求項１０に記載の履物（１０，２１０）。
【請求項１２】
前記薄いストリップ（５０）は、金属製のコア（５１）を有することを特徴とする請求項１０または１１に記載の履物（１０，２１０）。
【請求項１３】
請求項１ないし１２のいずれかに記載の履物のための保護部品。
【発明の詳細な説明】
【技術分野】
【０００１】
本発明は、衝撃に抗する保護部品を有する履物、特に実施形態に述べられたモトクロスブーツのようなスポーツ活動のための履物に関する。但し、この発明は、サンダル、スリッパ、ブーツなどのような異なる履物にも適用可能である。
【背景技術】
【０００２】
モータサイクル、特にモトクロスにおいて、ライダーは、クラッシュの場合に、地面、他のライダ達、あるいは同じモータサイクルに対して起り得る衝撃を吸収するように補強されたブーツを使用している。そのような補強は、例えば、履物の側部には、例えば変形しない素材からなるプレートとして、また、履物の底部には、厚い靴底及び／又は剛体材料として提供され得る。垂直な落下の場合、ライダーの足の靴底、特に踵は、同一の補強材の剛性が原因にもなって、好ましくない打撲あるいは骨折さえも引き起こす大きな衝撃を受け易い。モトクロスと同様に、スケートボードのような他のスポーツでも、踵は強い垂直な衝撃にさらされ、従って、特殊な形状の踵を有する履物を製造することによって前記問題を解消する試みがなされている。
【発明の概要】
【発明が解決しようとする課題】
【０００３】
特許文献１からすると、靴底には、ポリエチレンまたはその他の弾性変形可能な素材、すなわち、衝撃またはクラッシュの後に所与の一定の時間で元の形状または構造に戻る、衝撃吸収成分からなるインサートを踵に持つものが知られている。しかしながら、この種のインサートは、衝撃によって発生したエネルギーを完全に消散していない。
【課題を解決するための手段】
【０００４】
本発明の主な目的は、衝撃またはクラッシュに抗する保護能力を高めた履物を提供することにある。
【０００５】
この目的または他の目的は、衝撃の間に足および／または外部の物体からの圧力に基づいてそれ自身を変形させるに適する保護部品を備える履物のような、外部の物体とのクラッシュに抗して足を保護可能とする履物によって達成され、保護部品は、衝撃の間に受けたエネルギーを吸収すると同時に消散する構造的な変化により、前記圧力に対応可能な永久的かつ不可逆的に変化可能な構成を有することを特徴とする。
【０００６】
従って、この発明の明白な効果は、衝撃発生時に、保護部品によって受け止められた全てのエネルギーが消散され、基本的には戻ってくるエネルギーがゼロになる、という効果がある。
【０００７】
前記保護部品は、前記圧力（クラッシュによって発生した）により、凹みかつ永続的に変形するに適した中空構造を備えている。従って、クラッシュの間に受けたエネルギーは、保護部品の変形（および熱の形態）を通じて消散される。空洞が座屈すると、それはもはや衝撃前の状態を留めず、その戻りエネルギーは実質的に０となる。
【０００８】
中空構造の効果は、中空構造が二つ以上の間隙容積を区切る壁を備える場合に効果的に調整される。従って、衝撃を受けた場合に、副空洞の連続的かつ漸進的な変形が、前記保護部品のエネルギー吸収効果を変化させるためにもたらされる。
【０００９】
従って、この場合、平行に座屈可能な壁で保護部品を構成し、かつ可能な衝撃力の準線（例えば分割された層の集まり）と概ね直交する面にそれらを位置させることは、有効である。従って、衝撃が徐々に進行するとき、その後、壁は順次座屈（及び／又は破壊）する。
【００１０】
従って、圧力によって永続的に屈曲することが可能な素材を有する保護部品を作成することは、非常に便利である。
【００１１】
他の選択は、前述の一つとの適当な組み合わせにおいて、前記圧力によって不可逆的に破壊する可能性がある脆弱な素材を用いる保護部品を作成することにある。この場合、衝撃の際に受けたエネルギーは、保護部品（またはその部分）の破壊へと向けられ、そのようなエネルギーは、戻されることはなく、全体に消散される。
【００１２】
有利には、その保護部品は履物に取り外し可能に結合され得るインサートから構成されることが良く、そのような部品は、好ましくは、履物の中のシート（seat）に収容され、かつ見えないように置かれることが良い。従って、クラッシュによってダメージを受けた場合には、そのインサートは新たなものに交換することができる。内部ではあるが、そのシートは、インサートをその中に置くか、あるいは取り替えるために、例えば、壁をそこから取り外し可能にすることによってアクセス可能である。
【００１３】
保護部品の作用をサポートするために、それを保持しているシートであっても、同一の保護装置に対して同一及び／又は異なる保護の特徴を持つことが可能である。効果的な解決手段は、圧力によって座屈する方法で前記シートの少なくとも一つの壁を作成することにある。従って、シートの壁でさえも衝撃のエネルギーを消散することができる。
【００１４】
優位に、保護部品は、特有の素材、混合素材を用いて作ることが可能であり、また、異なる素材の種々の層によって構成される。加えて、弾性部材が、インサートに結合され、弾性的な作用を持ち、軽い衝撃を緩和する方法で提供され得る。従って、保護部品の破壊は、大きな衝撃のためだけに保持され、それによって、絶え間ない交換を回避している。明らかなように、保護部品の各部及び／又は素材の介入閾値は、最終用途、作成されるべき履物、及びトポロジーによってテスト及び／又は設計されるべきである。
【００１５】
シートの少なくとも一つの壁は、圧力による屈曲に適した薄いストリップを有することが好ましい。これは、インサートに対して影響を及ぼすストリップであることを確保し、それによってより高い安全性を保証する。
【００１６】
選択として、薄いストリップと少なくとも一つの壁との間に調整された破壊剛性を有する結合点を備えることがある。そのような結合点は、薄いストリップが自由に屈曲しかつインサートに対して当接するのを維持しつつ圧力によって破壊する方式で設計されるべきである。これをもとにして、前記ストリップが切り離されるべき最大加重と、保護部品の介入閾値は、決定され得る。
【００１７】
本発明の形態及び効果は、以下の明細書の記載、与えられた図示の実施形態から、添付の図面を参照することによってさらに明確に表されるであろう。
【先行技術文献】
【特許文献】
【００１８】
【特許文献１】米国特許第５９８３５２９号明細書
【図面の簡単な説明】
【００１９】
【図１】本発明に係るモーターサイクリングブーツの分解図である。
【図２】組み立てられた図１のブーツの（踵から先端）の縦断面の概略図である。
【図３】図２におけるＩ−Ｉ面に係る図１のブーツの断面の概略図である。
【図４】本発明に係るインサートの側断面図である。
【図５】衝撃の開始における図４のインサートの図である。
【図６】衝撃の最後における図５のインサートの図である。
【図７】インサートがないブーツの変形の内部の図である。
【図８】インサートを有するブーツの変形の内部の図である。
【発明を実施するための形態】
【００２０】
図を参照するに、１０は、覆い（hull）３０，トレッド４０およびその二つの間に置かれたインサートを有するブーツ（部分的に表された）を示す。
【００２１】
伝統的な履物に見られるように、ソール（分離されたトレッドを設けることが可能な）に連結されたアッパーを持たず、履物１０は、射出成型されたプラスチック材料のような剛性材を用いている一体成形品として作られた単一部材である覆い３０を提供している。適正なカバー要素（図示せず）を完成したとき、ブーツ１０はライダーの足を収容し、場合によっては布製の履物（図２参照）に適合可能である。覆い３０は、アッパー先端部３６、ソール低部３１を有し、そこには金属プレート（又はコア）５１が補強機能と共に埋設され得る（図３）。踵３２に対応する範囲において、ソール３１はインサート２０を受けるシート３３（図２）を有している。実際には、圧力によって変形可能なストリップ（又は舌片）を備えている。そのストリップ５０は、プレート５１の全部または一部を備えても良く、そしてそれは剛性を有する結合周辺位置（即ちブリッジ）３８（例えば、成形中に得られる）を通じて、永続的にシート３３の周囲に結合しても良い。ブーツの低部１０上で、トレッド４０は、インサート２０を覆い、かつシート３３内にそれを保持するように（図２）、ソール３１の全下面に結合する。
【００２２】
インサート２０は、実質的に平行６面体の要素であり、縁が丸く、脆い性質の素材、すなわち、その破壊加重を超える外力を受けたときに、少しも塑性変形することなく、破損する素材によって形成されている。そのような破壊は、衝撃エネルギーの優れた分散を保証する。使用された素材は、要求された破壊加重によって選択されるべきであり、それはインサートの保護干渉閾値を明確にする。
【００２３】
本発明の異なる実施形態（図４−６参照）によれば、インサート１２０は、延性のある素材で有っても良く、弾性的挙動（及び復元）（図４）を欠くものであっても好い。それは内部空洞８２を形成している外面６面体のケース８０を備えている。その空洞は、二つの凹んだ壁８６ａ，８６ｂによって副空洞８４ａ，８４ｂ，８４ｃに分割されている。Ｆ方向に向かう衝撃（図５および図６参照）は、まず、壁８６ａを、それから壁８６ｂを順次崩壊させる（及び／又は破壊させる）。それは空隙容量８４ａ，ｂ，ｃへの仕切り、および壁８６ａ，８６ｂの機械的特性が、いかに、衝撃の間のインサートの１２０の作用（挙動）を決定することが可能であるかということを明確にし、それによって、その干渉閾値および衝撃に対する応答性を調節する。
【００２４】
本発明の他の実施形態によれば（図７、８参照）、ブーツ２１０の覆い２３０は、アッパーの先端部を備え、かつソールの低部２３１を備える。シート２３３は、ソール２３１の踵２３２の領域に得られ、それは周辺端部２３５および柔軟性のある浮動ストリップ２５０によって画成されている。
【００２５】
第１の実施形態と同様に、インサート２２０（図８）は、シート２３３に収納され、ストリップ２５０によって上側でブロックされ、図示されているないトレッドによって下側でブロックされる。
【００２６】
３つの歯２３９があり、それらは周辺端部２３５の後方部から突出し、シート２３３に永続的にインサート２２０を保持するように調整されている。
【００２７】
突出歯２３９に対する反対位置に、ソール２３１の全体的厚さを通じて走っている２つの切り込み２６０があり、ストリップ２５０の長さに沿って平行に延在している。その切り込み２６０はストリップ２５０、およびソール２３１の一部の中にも、より大きな柔軟性を保証する。
【００２８】
本発明に係るブーツは、モトクロスのようなスポーツ活動に非常に有効であり、そこでは、ライダーがしばしば縦方向の落下に曝されて、踵に対する衝撃を受ける。インサート２０，１２０，２２０に対する衝撃によって、踵はインサートを破損または変形させる。これは、クラッシュの間に発生したエネルギーのほぼ完全な吸収と分散に導き、それによってライダーの怪我の危険性を削減し、少なくとも踵の骨折の危険性を削減する。インサート２０，１２０，２２０が介在することによって、より大きな度合いの衝撃が吸収される一方、踵３２，２３２は、ストリップ５０，２５０によって軽い衝撃を弾性的に緩和することが可能である。
【００２９】
加えて、第１および第２の実施形態では、発生したエネルギーが結合点３８の破損を通じて均等に消散される可能性がある。実際に、インサート２０，１２０上の踵によって発生した力の量は、前記点３８の静的応答性を越え、後の破損は不可逆的にエネルギーを消失させる。そのような破壊の前または後において、ストリップ５０は、振動可能に形成されており、従って衝撃を緩和する（そしてストリップがわずかに曲がるのを許容して、前記点３８がわずかに伸縮することを可能にする。）
機能的にまたは概念的に均等な変更および変形が、かつ特許請求の範囲によって規定される本発明の範囲内において提供可能である。例えば、本発明において、一つまたはそれ以上の保護装置が踵の領域上だけでなく、履物の他の部分にも配置することが可能である。
【図１】
2010537704.tif 000003
【図２】
2010537704.tif 000004
【図３】
2010537704.tif 000005
【図４】
2010537704.tif 000006
【図５】
2010537704.tif 000007
【図６】
2010537704.tif 000008
【図７】
2010537704.tif 000009
【図８】
2010537704.tif 000010
【手続補正書】
【提出日】平成20年10月29日(2008.10.29)
【手続補正１】
【補正対象書類名】特許請求の範囲
【補正対象項目名】全文
【補正方法】変更
【補正の内容】
【特許請求の範囲】
【請求項１】
外部の物体との衝撃から足を保護する履物（１０，２１０）であって、
ソールの低部（３１；２３１）と、前記履物の中のシート（３３，２３３）に収納されかつ共に見えない位置に配置されたインサートである保護部品（２０；２２０）と、を備え、前記保護部品は、衝撃の間、足または外部ボディーからの圧力によって塑性変形することなく破壊するのに適し、
前記保護部品（２０；２２０）は、より大きな強度の衝撃を吸収し、かつ軽い衝撃を弾性的に緩和することが可能な振動する金属ストリップ（５０；２５０）によって上側でブロックされることを特徴とする履物。
【請求項２】
前記シート（３３，２３３）は、ソール（３１；２３１）に設けられると共に、周辺端部（２３５）によって画成され、複数の歯（２３９）が、前記シート内に前記保護部品（２０；２２０）を保持するために前記周辺端部の後部から突出していることを特徴とする請求項１に記載の履物（１０，２１０）。
【請求項３】
前記突出している歯（２３９）に対する反対位置において、前記ソール（２３１）の全体的な厚さを通じて連続している二つの切り込み（２６０）があり、より大きな柔軟性を保証するように、前記ストリップ（５０；２５０）の長さに沿って平行に延在していることを特徴とする請求項２に記載の履物（１０，２１０）。
【請求項４】
請求項１ないし３のいずれかに記載の履物のための保護部品。
【国際調査報告】
2010537704.tif 000011
2010537704.tif 000012